(57)【要約】【課題】  所与のインダクタンスに対して、高いＱ値および／またはより小さい体積を結合するインダクタを提供する。【解決手段】  テーパ付きの導体（６０）を有する、螺旋状に巻かれたインダクタ（５８）。導体（６０）の高さが、インダクタ（５８）の中心（６８）の近くの、より低い高さからインダクタ（５８）の外縁部でのより高い高さへ増加する。球形状のインダクタ（８８）、および前記球形状のインダクタ（８８）を製造するための方法。前記球形状のインダクタは、各端部から中央に向かって直径が増加する一連のコイル（９６）を有する。【選択図】図２
2008177566.tif 000002
【特許請求の範囲】
【請求項１】
同心状に配置された複数のコイル（７０、７２）を形成するために、中心（６８）の周りに螺旋状に巻かれた導電性の材料（６０）を備え、前記導電性の材料（６０）が、内側コイル（７０）が外側コイル（７２）よりも低い高さを有するように、その長さの一部にわたって、テーパ付けされている高さを有する、
インダクタ（５８）。
【請求項２】
前記導電性の材料（６０）が、前記導電性の材料（６０）の長さの一部に沿って対称的にテーパ付けされている、請求項１記載のインダクタ（５８）。
【請求項３】
前記導電性の材料（６０）の高さが、その長さの一部にわたって線形に増加する、請求項２記載のインダクタ（５８）。
【請求項４】
電気絶縁ストリップ（６２）を備え、前記導電性の材料（６０）が前記電気絶縁ストリップ（６２）上に配置されている、請求項１記載のインダクタ（５８）。
【請求項５】
前記絶縁ストリップ（６２）が、その長さにわたって一定の高さを有する、請求項４記載のインダクタ（５８）。
【請求項６】
前記複数のコイルの各コイルが、中心（６８）から延びる半径（６６）に沿って、その隣接する内側コイルよりも高い高さを有する、請求項１記載のインダクタ（５８）。
【請求項７】
前記導電性の材料（６０）の高さが、中心（６８）の近くの前記導電性の材料（６０）上の点からインダクタ（５８）の外側部分の近くの前記導電性の材料（６０）上の点へ増加するように、テーパ付けされている、請求項１記載のインダクタ（５８）。
【請求項８】
前記導電性の材料（６０）が、磁場強度が最大であるところの領域からの距離とともに増加する磁場に対して垂直な高さを有する、請求項１記載のインダクタ（５８）。
【請求項９】
前記導電性の材料（６０）が、内側コイル（７０）から外側コイル（７２）へ外向きに、各コイルに対する高さの段階的な増加を有する、請求項１記載のインダクタ（５８）。
【発明の詳細な説明】
【技術分野】
【０００１】
本発明は一般に、インダクタに関し、より詳細には様々な直径のコイルを有する空芯インダクタ、およびそれらを作製する技術に関する。
【背景技術】
【０００２】
多くの電子デバイスは、インダクタを使用している。インダクタは、そのインダクタンスの特性のために電気回路内で使用される受動電子デバイスである。導体を通って流れる電流は、磁場を生成することになる。インダクタは通常、電流がそれを通って流れるとき、生成された磁場を「貯蔵」するように構成され、かつ逆に、最初の電流が除去されたとき、貯蔵された磁場の崩壊（ブレイクダウン）から電流を生成することができる。典型的なインダクタは、ソレノイドとして巻かれており、ばねまたはつるまきばねに似ている。インダクタは、一連のコイルになるように巻かれて、円筒を形成している電線から成る。磁場が一般に、右手法則に従って、電流が付加されたとき、電線のコイルを包囲する。
【０００３】
実際のインダクタは、１００％の効率ではない。これらは、インダクタを通って流れる電流のすべてを磁場に変換しない、または生成された磁場のすべてを貯蔵しない（すなわち、磁場が崩壊したとき完全に効果的に電流を発生させることができない）。インダクタを通って流れる電流のいくらかは、インダクタの電気抵抗のため熱を発生することになる。このことは、導体として使用される材料の物理的特性の１つにすぎない。しかし、他の要素が、インダクタの抵抗をさらに増加させることがある。たとえば、「表皮効果」と呼ばれるものは、付加された電流の高い周波数で、インダクタの抵抗を、増加させることがある。
【０００４】
インダクタの効率の１つの測定値は、Ｑ値、すなわちＱとして公知である。インダクタのＱの値を決定する１つの方法は、電流の所与の周波数での、インダクタの誘導リアクタンスとその電気抵抗の比をとることである。ここで、誘導リアクタンスはインダクタを通って流れる電流の周波数とインダクタのインダクタンスの積である。数学的には、このことは、以下の式で与えられる。
【０００５】
Ｑ＝ωＬ／Ｒ(1)
ここで、Ｑ＝Ｑ値、
ω＝ラジアン単位での周波数、
Ｌ＝ヘンリー単位でのインダクタンス、
Ｒ＝オーム単位での電気抵抗。
【０００６】
大きなＱ値を有する既存のインダクタはまた、比較的大きな体積を有する。大部分の電子構成部品と同様に、所与のＱ値およびインダクタンスに対して、より大きいのではなく、より小さいインダクタを有することがより良い。
【発明の開示】
【発明が解決しようとする課題】
【０００７】
したがって、所与のインダクタンスに対して、高いＱ値および／またはより小さい体積を結合するインダクタに対する必要性が存在する。
【課題を解決するための手段】
【０００８】
本技術の一態様では、テーパ付きの導体を有する螺旋状に巻かれたインダクタが示されている。導体の高さは、インダクタの中心の近くのより低い高さから、インダクタの外縁部でのより高い高さへ増加する。通常、導体の表面積を増加させると、その抵抗が低下する。しかし、導体が変動する磁場に曝露されたとき、より大きな表面積により、導体内により大きな誘導熱が発生し、抵抗が上昇する。導体が曝露される磁場に変動があるとき誘導熱が生じ、導体内を流れるように渦電流を誘導する。渦電流は、導体の温度を上昇させ、このことが、導体の抵抗も上昇させる。
【０００９】
螺旋状に巻かれたインダクタでは、磁場は、中心の近くで最も強く、外縁部で最も弱い。中心付近でより低い高さを有することは、磁場が最も強い、磁場に対して垂直な導体の表面積を減少させる。このことは、導体の誘導熱を減少させる。このようにして、誘導熱の量を減少させることによって、誘導熱によって生じるインダクタの抵抗の上昇が、減少される。磁場の強度、また誘導熱が減少するにつれて導体の高さを増加させることによって、誘導熱が抵抗を増加させるように働くよりも大きな程度で、導体の抵抗が、表面積の増加によって低下される。
【００１０】
本技術の別の態様では、球形状のインダクタが示されている。球形状のインダクタは、各端部から中央に向かって直径が増加する一連のコイルを有する。電子構成部品が、球形状のインダクタによって形成された球の内部に配置されてもよい。
【００１１】
本技術の別の態様では、球形状のインダクタを製造する方法が、示されている。球形状のインダクタが、球形のフォームの周りに巻きつけられる。球形のフォームが次に、球形状のインダクタを残して、いくつかの異なる技術のいずれかを使用して除去される。別法として、球形状のインダクタが、導電性の材料から２つの半球体にインダクタが切り取られることを可能にするパターンから形成され、その後、球形の形状を形成するようにアコーディオンのように折り曲げられ、拡張される。
【００１２】
本発明のこれらおよびその他の特徴、態様および利点が、図面全体を通じて、類似の文字が類似の部品を表す以下の詳細な説明が、添付の図面を参照して読まれたとき、より明らかになるであろう。
【発明を実施するための最良の形態】
【００１３】
次に図面に目を向け、かつ図１を一般に参照すると、磁気共鳴（「ＭＲ」）システム１０が示されている。図示されているＭＲシステム１０は、スキャナ１２、スキャナ制御システム１４、およびオペレータインターフェイスステーション１６を備える。ＭＲシステム１０は、いずれかの適切なＭＲスキャナまたは検知器を備えてもよいが、図示されたシステムは、その中で患者２２をスキャンのための所望の位置に配置するように、テーブル２０が位置調整されることができる患者孔１８を備える、全身スキャナを備える。
【００１４】
一次磁石コイル２４が、一次磁場を発生させるために設けられ、患者孔１８とほぼ位置合わせされている。一連の傾斜磁場コイル２６、２８および３０が、以下でより詳細に説明されるように、検査シークエンス中に磁気傾斜磁場が発生されることを可能にするために、患者孔１８の周囲に配置されている。この実施形態では、無線周波数（「ＲＦ」）コイル３２が、ＲＦパルスを送信および受信するために、スキャナ制御システム１４と結合されている。ＲＦコイル３２は、患者の組織内のジャイロ磁気材料を励起させるために、患者体内へＲＦパルスを送信する。ＲＦコイル３２はまた、患者２２の組織内のジャイロ磁気材料から送信された信号を受信するための受信コイルとして働く。しかし、別個の送信および受信コイルが、使用されてもよい。この実施形態では、ＲＦコイル３２が、心臓および肺などの胸部の内部解剖学的特徴の画像を形成することでの使用のために特に構成されている。ＲＦコイル３２の他の実施形態は、頭部などの他の解剖学的特徴での使用のために特に構成されてもよい。図１で符号３４によって一般に示されている電源が、一次磁石コイル２４にエネルギー供給するために提供されている。
【００１５】
本構成では、傾斜磁場コイル２６、２８および３０は、ＭＲシステム１０でのその機能のために構成された異なる物理的構成を有する。当業者なら理解されるように、コイルは、以下で説明されるような制御されたパルスの付加の際に傾斜磁場を発生させるコイル構造を形成するために巻かれている、または切られている導電性の電線、バーまたはプレートから構成されている。傾斜磁場コイル組立体内でのコイルの配置は、いくつかの異なる順序で行われてもよい、しかし、本実施形態では、Ｚ軸コイルが、最も内側の位置に配置され、かつ一次磁場に対して比較的少ない影響を有するソレノイド様の構造として一般に形成されている。このように、図示されている実施形態では、傾斜磁場コイル３０がＺ軸ソレノイドコイルであり、一方、傾斜磁場コイル２６および傾斜磁場コイル２８は、それぞれＹ軸およびＸ軸コイルである。
【００１６】
当業者なら理解されるように、患者の組織内で束縛されたジャイロ磁気材料が一次磁場を受けると、組織内の磁気共鳴活性の核の個々の磁気モーメントが、部分的に場と位置合わせされる。全磁気モーメントが分極場の方向に生じるが、垂直平面内のランダムに配向されたモーメントの成分が、一般に互いにキャンセルし合う。検査シークエンス中、当該材料のラーモア周波数の、またはその近くのＲＦパルスが、ＲＦコイル３２によって患者２２体内へ送信され、全タイ的な横方向磁気モーメントを生成するために、全体的な並べられたモーメントの回転を結果として生じさせる。この横方向の磁気モーメントが一次磁場方向の周りを進行し、ＲＦ（磁気共鳴）信号を放出する。所望の画像の再構成のために、これらのＲＦ信号が、ＲＦコイル３２によって検知され、かつ処理される。
【００１７】
傾斜磁場コイル２６、２８および３０は、正確に制御された磁場を発生させる働きをし、その磁場の強度は、所定の視野にわたって変化し、正または負の極性を通常備える。各コイルが公知の電流によってエネルギー供給されるとき、結果として生じる磁場勾配が、一次場の上に重ね合わされ、かつ視野を横切る磁場強度のＺ軸成分での所望の線形の変動を生成する。場は、１つの方向で線形に変動するが、他の２つでは一様である。３つのコイルは、それらの変動方向に対して互いに直交する軸を有し、傾斜磁場コイルの適切な組合せによって線形場の傾斜が任意の方向に賦与されることを可能にする。
【００１８】
パルス化された傾斜磁場は、撮像および追尾プロセスとともに様々な機能を行う。撮像に対しては、これらの機能のいくつかは、スライス選択、周波数符号化および位相符号化である。これらの機能が、元の物理的座標系の、システムのＸ、ＹおよびＺ軸に沿って、または個々の場コイルに皮下されパルス化された電流の組合せによって決定される様々な物理的な方向に付加されることができる。
【００１９】
スキャナ１２のコイルが、所望の磁場およびＲＦパルスを発生させるように、スキャナ制御システム１４によって制御される。図１の概略図では、スキャナ制御システム１４が、検査中に使用されるパルスシークエンスを命令するため、および受信された信号を処理するための、制御回路３６を備える。たとえば、制御回路３６が、所望の画像を再構成するために、およびデバイス位置を決定するために、ＲＦ励起パルスに応答して収集された信号に解析ルーチンを付加する。制御回路３６は、ＣＰＵまたは多目的のまたは用途指定決定子のデジタル信号プロセッサなどのいずれかの適切なプログラム可能な論理デバイスを備えてもよい。この実施形態では、スキャナ制御システム１４はまた、スキャナ１２によって実施される検査シークエンス中に使用される、物理的なおよび論理的な軸構成パラメータ、検査パルスシークエンスの記述、取得された画像データ、取得された追尾データ、プログラミングルーチンなどを格納するための、揮発および不揮発メモリデバイスなどのメモリ回路構成３８を備える。
【００２０】
制御回路３６とスキャナ１２のコイル間のインターフェイスは、増幅および制御回路構成４０によって、および送信機および受信機インターフェイス回路構成４２によって管理される。増幅および制御回路構成４０は、制御回路３６からの制御信号に応答して、駆動電流を場のコイルに供給するために、各傾斜磁場コイルのための増幅器を備える。送信機および受信機インターフェイス回路構成４２は、ＲＦコイル３２を駆動するための追加の増幅回路構成を備える。また、この実施形態で示されているように、ＲＦコイル３２が送信および受信の両方の働きをするところでは、送信機および受信機インターフェイス回路構成４２は通常、能動すなわち送信モードと、受動すなわち受信モードとの間で、ＲＦコイル３２をトグル切替えするための切替デバイスを備える。送信機および受信機インターフェイス回路構成４２は、ＲＦコイル３２によって受信された信号を増幅するための増幅回路構成をさらに備える。図示されている実施形態では、送信機および受信機インターフェイス回路構成は、複数のインダクタを備える低ノイズ増幅器セクションを有する。以下でより詳細に説明されるように、これらのインダクタは、考えられる最良の信号対雑音比を確実にするために高いＱ値を有する。最後に、スキャナ制御システム１４はまた、この実施形態では、オペレータインターフェイスステーション１６と形状および画像および追尾データを交換するための、インターフェイス構成要素４４を備える。
【００２１】
本説明では、超伝導一次場磁石アセンブリを採用している水平な円筒形孔の撮像システムが参照されているが、本技術は、超伝導磁石、永久磁石、電磁石またはこれらの手段の組合せによって発生される、鉛直方向の場を採用しているスキャナなどの他の様々な構成に適用されることができることに注意されたい。また、図１は、閉じたＭＲＩシステムを示しているが、本発明の実施形態は、医師によるアクセスを可能にするように設計された開いたＭＲＩシステムでも適用可能である。
【００２２】
オペレータインターフェイスステーション１６は、オペレータすなわち放射線技師とスキャナ１２の間の、スキャナ制御システム１４を介してのインターフェイスを容易にするための広範囲のデバイスを備える。図示されている実施形態では、たとえば、オペレータコントローラ４６が、ワークステーションの形態で設けられている。ステーションはまた、検査パルスシークエンスの記述、検査プロトコル、ユーザおよび患者データ、生および処理済みの両方での画像データなどを格納するためのメモリ回路構成を通常備える。ステーションは、ローカルおよびリモートデバイスとデータを受信および交換するための、様々なインターフェイスおよび周縁ドライバをさらに備えてもよい。図示されている実施形態では、このようなデバイスは、従来型のキーボード４８、およびマウス５０などの代替となる入力デバイスを備える、プリンタ５２が、取得されたデータから再構築された文書および画像のハードコピー出力を生成するために設けられている。モニタ５４が、オペレータインターフェイスを容易にするために設けられている。また、ＭＲシステム１０は、図１で符号５６によって一般に表されている、様々なローカルおよびリモート画像アクセスおよび検査制御デバイスを備える。このようなデバイスは、画像アーカイビングおよび通信システム、遠隔放射線システムなどを備えてもよい。
【００２３】
図２および３を一般に参照すると、図１の送信機および受信機インターフェイス回路構成４２の低ノイズ増幅器セクションで使用される新規なインダクタ５８が示されている。以下でより詳細に説明されるように、インダクタ５８は、前の空芯インダクタと比較して、同じインダクタンスに対して、より高いＱ値、およびより小さい体積を有する空芯インダクタである。この実施形態では、インダクタ５８は、電気的に絶縁性のベース層（以下で「基板」と呼ばれる）６２上に配置された、導電性の材料（以下で「導体」と呼ばれる）６０から構成されている。導体６０および基板６２は、可撓性である。このことは、導体６０および基板６２が、インダクタ５８を通る軸６４の周りに螺旋状に巻かれることを可能にする。したがって、インダクタ５８のコイルは同心状であり、かつ徐々に増加する直径を有する。通常のインダクタのコイルは、ばねのように、同じ直径を有し、かつ円筒形に配置されている。導体６０上の各点は、インダクタ５８の中心６８から半径６６に沿ってある距離に配置されている。基板６２は、導体６０が自己短絡することを防止する。この実施形態では、インダクタ５８は、内側コイル７０および外側コイル７２を備える１０個のコイルを有する。図示されている実施形態では、導体６０および基板６２が、導体６０がインダクタ５８の中心６８に向かって内側に向いて巻かれている。しかし、反対の構成が使用されてもよい。上記で述べられたように、インダクタ５８は、空芯７４を有する。別法として、絶縁材料が、空芯７４によって占有されている空間内に配置されてもよい。また、導体６０は、インダクタ５８を他の構成要素と電気的に接続するための端子として働く、第１の端部７６および第２の端部７８を有する。
【００２４】
図３および４を一般に参照すると、インダクタ５８の新規な特徴は、第１の端部７６から第２の端部７８へ、導体６０の高さにテーパが付けられていることである。第１の端部７６では、導体５８が、高さ「Ｈ１」を有する。第２の端部７８では、導体が、高さ「Ｈ１」よりも大きい高さ「Ｈ２」を有する。この実施形態では、導体６０の高さが、インダクタ５８の長さに沿って線形に増加する。また、導体６０が基板６２に沿って中心配置された長手方向軸８０の周りに中心配置されたままであるように、導体６０が上部および底部で対称的にテーパ付けされている。結果として、導体６０のコイルもまた、インダクタ５８の中心６８から外向きに延びる半径６６上で中心配置されたままである。導体６０は、銅、またはカーボンナノチューブ材料などの他のいくつかのから導電性の材料から構成されてもよい。第１の端部７６および第２の端部７８での導体６０の高さは、接続を容易にするためにテーパ付けされなくてもよい。また、導体６０の高さは、高さの非線形な増加、または高さの一連の段階的な増加のように他の構成で変化されてもよい。たとえば、導体６０の高さは、コイルが一定の高さを有するが、高さが内側コイル７０から外側コイル７２まで各コイルに対して増加するように変化してもよい。
【００２５】
第１の端部７６から第２の端部７８まで導体６０の高さをテーパ付けすることは、インダクタ５８の電気抵抗の減少を生じさせる。上記で述べられたように、インダクタ５８のＱ値は、その電気抵抗に反比例する。このようにして、導体６０の電気抵抗を減少させることにより、インダクタ５８のＱ値が増加する。通常、導体の表面積を増加させることによって、その電気抵抗が減少する。逆に導体６０の表面積を減少させることによって、その電気抵抗が通常増加する。しかし、導体６０の抵抗は、温度などの他の要素によって影響されることがある。導体６０の温度の増加が、磁場によって導体６０内に誘導される渦電流によって生じることがある。実際、導体６０を通って流れる電流によって、インダクタ５８の抵抗に影響を与える磁場を生じることがある。しかし、他の構成要素によってもまた、インダクタ５８の抵抗に影響を与える磁場が生じることがある。以下でより詳細に説明されるように、導体６０を通って流れる電流が導体６０内に渦電流を誘導することになる（has to）という影響が、磁場が最強であるところのインダクタ５８の領域内で導体６０の高さを減少させることによって減少される。また、導体６０の高さは、磁場の強度が減少につれて、より大きな表面積を提供するように、徐々に増加される。
【００２６】
図５を一般に参照すると、コンピュータプログラムが、導体６０を通って流れる電流によって生じる磁場をシュミレートするために使用された。磁場が、磁束線８２によって図５に表されている。磁束線８２が互いに近接するほど、磁場がより強くなる。すなわち、導体６０の内側コイル７０に隣接する空芯７４の領域内で、磁場が最強であることが見られることができる。また、磁場は、導体６０の内側コイル７０に隣接する領域から、インダクタ５８の半径６６に沿って、導体６０の外側コイル７２に向かって外向きに弱まる。また、導体６０の高さに対して垂直である磁束線８２の部分８４、および導体６０の高さに対して平行である磁束線８２の他の部分８６がある。導体６０の高さに対して垂直である磁束線８２の部分８４は、導体６０内の渦電流を誘導する磁束線８２である。これらの渦電流は、導体６０の温度を増加させ、それによってその抵抗を増加させる。したがって、磁場が最強であるところで導体６０の高さを減少させることによって、より少ない渦電流が生じ、渦電流によって生じる電気抵抗の続いての増加が減少される。上記で述べられているように、通常、導体の抵抗は、その表面積を増加させることによって減少する。したがって、導体６０の電気抵抗が、磁場の強度が減少するにつれて導体６０の高さを増加させることによって最小化されることができ、渦電流が導体６０の電気抵抗を増加させることへ影響が減少する。図示されている実施形態では導体６０が螺旋状に巻かれるとき、インダクタ６０の中心６８からのその距離が増加するにつれて導体６０の高さが増加するように、導体６０の高さをその長さに沿ってテーパ付けすることによって、この目標が達成される。しかし、他の構成が、インダクタ５８内の導体６０の電気抵抗に対して有する増加した表面積および渦電流の影響を有するという点で、インダクタ５８の電気抵抗を最小化するために使用されてもよい。たとえば、上記で述べられているように、導体６０は、その長さに沿って高さが増加する段を有してもよい。別法として、導体６０は、所望の高さが達成されるまでその長さに沿って徐々にテーパし、その後導体６０の長さにわたって維持される高さを有してもよい。
【００２７】
図６を一般に参照すると、球形状のインダクタ８８の実施形態が提供されている。図示されている実施形態では、球形状のインダクタ８８が、キャパシタ９０の周りに形成されている。キャパシタ９０は、共鳴回路を形成するために球形状のインダクタ８８と接続される導線９２を有する。球形状のインダクタ８８は、ほぼ球形の形状を形成する一連の巻線９６を形成するようにして巻かれた導体９４を有する。球形状のインダクタ８８は、磁束線が導体９４を導体９４の表面に対して垂直に切る領域がほとんどないため、従来のインダクタよりも低い抵抗を有する。図示されている実施形態では、導体９４の断面が、電線の断面のように丸い。しかし、導体９４は、上記で説明された実施形態での導体６０など、矩形のまたは平坦な断面を有してもよい。また、球形状のインダクタ８８が、球形状の絶縁材料上に配置されてもよい。
【００２８】
図７を一般に参照すると、球形状のインダクタ９８の断面を通って生成された磁場の、コンピュータ生成されたシミュレーションが提供されている。図６に示されている実施形態とは異なる導体形状が、コンピュータプログラム内で使用された。数値計算を簡単にするために、丸い断面ではなく六角形形状の断面を有する導体が、球形状のインダクタ８８の周りの磁場のプロットを生成するために使用された。図示されている実施形態では、球形状のインダクタ９８を通って流れる電流によって生じる磁場が、磁束線１００によって示されている。球形状のインダクタ９８の導体１０２の位置に対して垂直に延びる磁束線１００が、ほとんどまたはまったくないことを理解されたい。したがって、熱による導体１０２の電気抵抗を増加させることがある球形状のインダクタ９８の導体１０２内で誘導される渦電流が、ほとんどない、またはない。
【００２９】
球形状のインダクタ８８の球形の形状の利点の１つは、球形状のインダクタ８８が、ファラデーシールドとしても公知であるファラデーケージとして作用することである。ファラデーケージは、外部の電場からエンクロージャの内部を遮蔽するために導電材料によって形成されたエンクロージャである。包囲している導体内の電荷が、互いに反発し合い、かつしたがって、エンクロージャの外部表面上に常に存在している。エンクロージャに作用するいずれかの外部電場が、エンクロージャの内部への外部電場の影響を完全に相殺するように、エンクロージャ上に電荷を再配置させる。ファラデーケージの使用の１つの用途は、静電放電から保護することである。
【００３０】
球形状のインダクタ８８を製造する一方法は、絶縁材料から球を形成し、かつそれを導電性の材料で被覆することである。次に、溝が、巻線を形成するために球の周りの導電性の材料内に描かれてもよい。別法として、導電性の電線が、球の周りに包まれてもよい。また、絶縁材料は、インダクタを形成するための導電性の材料のみを残して取り外されることができるように、蝋、または他のいくつかの溶解可能または取り外し可能な材料であってよい。
【００３１】
図８を一般に参照すると、球形状のインダクタを製造する別の方法が示されている。この方法は、提灯を形成するために使用される方法と同様である。この実施形態では、導電性の材料が、２つの球半体、左半体１０６および右半体１０８を有する「図８」形状１０４を形成するように切られる。２つの半体１０６、１０８が、中心１１０で折り曲げられる。２つの半体が次に、球を形成するためにアコーディオン状に広げられる。別法として、導電性の材料を切るのではなく、導電性の材料が、所望の「図８」形状を形成するために、モデル上に巻き付けられる。
【００３２】
本発明のある特徴のみが、本明細書で示され、説明されてきたが、多くの修正および偏向が、当業者に対して行われるであろう。したがって、添付の特許請求の範囲が、本発明の精神の中にあるすべてのこのような修正および変更をカバーすることを理解されたい。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００３３】
【図１】本技術の例示的な実施形態による、医療用撮像での使用のための磁気共鳴システムの概略図である。
【図２】本技術の例示的な実施形態による、螺旋状に巻かれたインダクタの透視図である。
【図３】本技術の例示的な実施形態による、螺旋状に巻かれる前のインダクタの立面図である。
【図４】図２の線４−４に沿って一般的にとられた、図２のインダクタの断面図である。
【図５】本技術の例示的な実施形態による、図２のインダクタを通って流れる電流によって生じる磁束線の断面図のコンピュータ生成されたプロットである。
【図６】本技術の代替となる例示的な実施形態による、球形状のインダクタの透視図である。
【図７】本技術の例示的な実施形態による、図６のインダクタを通って流れる電流によって生じる磁束線の断面図のコンピュータ生成されたプロットである。
【図８】本技術の例示的な実施形態による、図６のインダクタを形成するために使用される導体の立面図である。
【符号の説明】
【００３４】
１０  磁気共鳴（ＭＲ）システム
１２  スキャナ
１４  スキャナ制御システム
１６  オペレータインターフェイスステーション
１８  患者孔
２０  テーブル
２２  患者
２４  一次磁気コイル
２６  傾斜磁場コイル
２８  傾斜磁場コイル
３０  傾斜磁場コイル
３２  ＲＦコイル
３４  電源
３６  制御回路
３８  メモリ回路
４０  増幅および制御回路構成
４２  送信機および受信機インターフェイス回路構成
４４  インターフェイス構成要素
４６  オペレータコントローラ
４８  キーボード
５０  マウス
５２  プリンタ
５４  モニタ
５６  ＰＡＣＳ
５８  インダクタ
６０  導体
６２  基板
６４  軸
６６  半径
６８  インダクタの中心
７０  内側コイル
７２  外側コイル
７４  空芯
７６  インダクタの第１の端部
７８  インダクタの第２の端部
８０  導体の長手方向軸
８２  磁束線
８４  垂直な磁束線
８６  平行な磁束線
８８  球形状のインダクタ
９０  キャパシタ
９２  導線
９４  導体
９６  一連の巻線
９８  球形状のインダクタ
１００  磁束線
１０２  導体
１０４  導電性の材料が、「図８」形状を形成するように切られる
１０６  導電性の材料の球半体
１０８  導電性の材料の球半体
１１０  導体の中央部分
１１２  球体の折り曲げ部分
【図１】
2008177566.tif 000003
【図２】
2008177566.tif 000004
【図３】
2008177566.tif 000005
【図４】
2008177566.tif 000006
【図５】
2008177566.tif 000007
【図６】
2008177566.tif 000008
【図７】
2008177566.tif 000009
【図８】
2008177566.tif 000010